(57)【要約】【課題】光源としてＬＥＤを用い、ＬＥＤの照射方向以外の複数方向にも光を照射して配光を調整することのできる照明器具を提供する。【解決手段】一対の照射開口２１、２２のうちの一方の照射開口２１に、入射した光の一部を透過させるとともに他の光を他方の照射開口２２に向けて反射する半反射部材２４を設け、ＬＥＤ光源部３０を一方の照射開口２１に向ける。これにより、ＬＥＤ光源部３０から一方向へ照射された光の一部を、半反射部材２４を透過して一方の照射開口２１から照射するとともに、半反射部材２４で反射した光を他方の照射開口２２から照射することができるので、ＬＥＤ３２の照射方向以外の複数方向にも光を照射することができる。【選択図】図１
2010192388.tif 000002
【特許請求の範囲】
【請求項１】
互いに平行な第１の照射開口および第２の照射開口を有する器具本体と、
前記第１の照射開口および前記第２の照射開口のうちの一方に向けて照射するＬＥＤ光源部と、
前記一方の照射開口に設けられて、入射した光の一部を透過させ、他を反射する半反射部材と、
前記半反射部材で反射した光を他方の照射開口側へ反射する反射面と、
を備えたことを特徴とする照明器具。
【請求項２】
前記半反射部材の内表面に、該内表面に入射した光を前記反射面方向に反射させる凹凸を形成したことを特徴とする請求項１記載の照明器具。
【発明の詳細な説明】
【技術分野】
【０００１】
本発明は、光源としてＬＥＤを用い壁面に取り付けて使用するのに好適な照明器具に関するものである。
【背景技術】
【０００２】
従来の白熱灯や蛍光灯を光源として用いた壁面取付用の照明器具は、光源自体が光をあらゆる方向へ拡散する性質を持っているため、一つの光源を用いた場合でも、壁面、床面、天井面等に容易に照射することができる（例えば特許文献１参照）。
【０００３】
図３に示すように、特許文献１に記載の照明装置１００では、上方に向けて開放する上側光照射口１０１と、下方に向けて開放する下側光照射口１０２を有する装置本体１０３が、天井面から離れた位置(例えば、壁面)に取付けられる。装置本体１０３の内部には、上側光照射口１０１および下側光照射口１０２に向けて光を照射する光源である蛍光ランプ１０４が設けられている。
【０００４】
下側光照射口１０２には、開閉蓋１０５が脱着可能に設けられている。開閉蓋１０５は、格子状のフレーム１０６に光を一部透過させる面材１０７を貼り付けて形成した複数の引き戸１０８をスライド可能に設けたものである。
【０００５】
これにより、上側光照射口１０１を介して上方（天井側）を照明するとともに、下側光照射口１０２を介して下方（床側）を照明する。この際、下方の照明は、引き戸１０８の開閉により下方へ照射される光の量および位置を調整して、容易に配光を調整することができる。
【先行技術文献】
【特許文献】
【０００６】
【特許文献１】特開２００３−２１７３３５号公報（第３図）
【発明の概要】
【発明が解決しようとする課題】
【０００７】
ところで、近年、省エネ化の観点から、消費電力が小さなＬＥＤを照明器具の光源として用いるものが多くなってきた。また、照明器具に、多様な配光が要求されるようになってきた。壁面取付用の照明器具においても同様である。
【０００８】
しかしながら、光源としてＬＥＤを用いた場合には、基板上に光源であるＬＥＤ素子が取付けられている構成上、またＬＥＤの性質上、照射光は片側のみでかつ指向性の強い照射となるため照射面が限定される。このため、例えば、上下に光を照射しようとすると、ＬＥＤ基板を上下方向に向けて設ける必要があり、複数のＬＥＤ基板を設けなければならず、コストアップを招くという問題があった。
【０００９】
本発明は、従来の問題を解決するためになされたもので、光源としてＬＥＤを用い、ＬＥＤの照射方向以外の複数方向にも光を照射して配光を調整することのできる照明器具を提供することを目的とする。
【課題を解決するための手段】
【００１０】
本発明の照明器具は、互いに平行な第１の照射開口および第２の照射開口を有する器具本体と、前記第１の照射開口および前記第２の照射開口のうちの一方に向けて照射するＬＥＤ光源部と、前記一方の照射開口に設けられて、入射した光の一部を透過させ、他を反射する半反射部材と、前記半反射部材で反射した光を他方の照射開口側へ反射する反射面と、を備えた構成を有している。
【００１１】
この構成により、一対の照射開口のうちの一方に、入射した光の一部を透過させ、他の光を他方の照射開口に向けて反射する半反射部材を設け、ＬＥＤ光源部を一方の照射開口に向ける。これにより、ＬＥＤ光源部から一方向へ照射された光の一部を、半反射部材を透過して一方の照射開口から照射するとともに、半反射部材で反射した光を他方の照射開口から照射することができるので、ＬＥＤの照射方向以外の複数方向にも光を照射することができる。
【００１２】
また、本発明の照明器具は、前記半反射部材の内表面に、該内表面に入射した光を前記反射面方向に反射させる凹凸を形成した構成を有している。
【００１３】
この構成により、半反射部材に照射された光は、半反射部材の内表面に設けられている凹凸によって乱反射して、他方の照射開口側へ広く照射される。あるいは、半反射部材の凹凸面の角度と、ＬＥＤ光源部からの照射角度を組み合わせることにより、意図した方向へ光を照射することができる。従って、半反射部材の設定を変えることにより、配光を容易に調整することができる。
【発明の効果】
【００１４】
本発明は、一対の照射開口のうちの一方に、入射した光の一部を透過させ、他の光を他方の照射開口に向けて反射する半反射部材を設け、ＬＥＤ光源部を一方の照射開口に向ける。これにより、ＬＥＤ光源部から一方向へ照射された光の一部を、半反射部材を透過して一方の照射開口から照射するとともに、半反射部材で反射した光を他方の照射開口から照射することができるので、ＬＥＤの照射方向以外の複数方向にも光を照射することができるものである。
【図面の簡単な説明】
【００１５】
【図１】本発明の実施形態にかかる照明器具を示す断面図
【図２】(Ａ)は図１中ＩＩ−ＩＩ位置の断面図、(Ｂ)は(Ａ)中Ｂ方向から見た上面図、(Ｃ)は(Ａ)中Ｃ方向から見た下面図、(Ｄ)は(Ａ)中Ｄ方向から見た側面図
【図３】従来の照明器具を示す断面図
【発明を実施するための形態】
【００１６】
以下、本発明の実施形態の照明器具について、図面を用いて説明する。
図１は本発明の実施形態にかかる照明器具を示す断面図、図２(Ａ)は図１中ＩＩ−ＩＩ位置の断面図、(Ｂ)は(Ａ)中Ｂ方向から見た上面図、(Ｃ)は(Ａ)中Ｃ方向から見た下面図、(Ｄ)は(Ａ)中Ｄ方向から見た側面図である。
【００１７】
図１および図２に示すように、本発明の実施形態にかかる照明器具１０は、例えば、壁面１１に取付けて、床面１２側および天井面１３側を照明して、室内等の照明空間を間接照明するのに用いることができる。
【００１８】
照明器具１０は、例えば、取付面である壁面側の壁側板２３、壁側板２３に対向する前側板２５、および壁側板２３と前側板２５とを連結する側版２６、２６から構成される矩形筒状の器具本体２０を有する。器具本体２０は、互いに平行な第１の照射開口である下側照射開口２１および第２の照射開口である上側照射開口２２を有する。下側照射開口２１は床面１２に対向し、上側照射開口２２は天井面１３に対向する。
【００１９】
器具本体２０の壁側板２３の内側面には、一方の照射開口である下側照射開口２１に向けて光を照射するＬＥＤ光源部３０が設けられている。ＬＥＤ光源部３０は、壁側板２３に取付けられる基板３１と、基板３１の下面に取付けられる光源であるＬＥＤ３２を有する。なお、壁側板２３に直接基板３１を取付けることも可能だが、壁側板２３に取付板(図示省略)を取付け、取付板に基板３１を取り付けるようにすることもできる。
【００２０】
基板３１は、器具本体２０の長手方向に沿って長い長方形を呈しており、基板３１の長手方向に沿って複数(ここでは３個)のＬＥＤ３２が設けられている(図２(Ａ)〜(Ｃ)参照)。なお、ここでは、基板３１の前側が高くなるように傾斜して壁側板２３に取付けられており、ＬＥＤ３２による照射光は前方へ傾く。
【００２１】
一方の照射開口である下側照射開口２１には、入射した光の一部を透過させ、他を反射する半反射部材２４が取付けられている。半反射部材２４のＬＥＤ光源部３０側の面である内表面２４２には、多数の凹凸２４１が設けられている。凹凸２４１は、ＬＥＤ３２からの照射光を、主に前側板２５に反射する形状に形成されている。例えば、壁側板２３に近い側では、入射光と反射光との成す角θが小さく、前側板２５に近づくにしたがってθが大きくなるように形成することができる。
【００２２】
これにより、半反射部材２４の凹凸２４１の表面によって反射される光は、主に器具本体２０の前側板２５の方向へ照射され、半反射部材２４を透過した光は、凹凸２４１を透過することにより、下側照射開口２１から、例えば、拡散する方向へ照射される。
半反射部材２４は、透明な樹脂やガラスの内表面２４２に適宜な形状で凹凸２４１を形成し、凹凸２４１の表面に金属を蒸着させて作成することができる。
【００２３】
前側板２５の内面２５１は光を反射する反射面となっており、半反射部材２４から入射した反射光を、他方の照射開口である上側照射開口２２に向かって反射する。従って、半反射部材２４の凹凸２４１の角度と、ＬＥＤ光源部３０からの照射角度を組み合わせることにより、上側照射開口２２から意図した方向へ光を照射することができる。また、下側照射開口２１から下方へ照射される光の配光を調整することができる。
【００２４】
この構成により、一対の照射開口２１、２２のうちの一方の照射開口である下側照射開口２１に、入射した光の一部を透過させ、他の光を他方の照射開口である上側照射開口２２に向けて反射する半反射部材２４を設け、ＬＥＤ光源部３０を下側照射開口２１に向ける。これにより、ＬＥＤ光源部３０から一方向へ照射された光の一部を、半反射部材２４を透過して下側照射開口２１から下方へ照射するとともに、半反射部材２４で反射した光を上側照射開口２２から照射することができるので、ＬＥＤ３２の照射方向以外の複数方向にも光を照射することができる。
【００２５】
また、半反射部材２４の内表面２４２に、入射した光を前側板２５の内面２５１に向かって反射させる凹凸２４１を形成したので、半反射部材２４に照射された光は、凹凸２４１によって乱反射し、前側板２５の内面２５１で反射して、上側照射開口２２側へ広く照射される。
従って、凹凸２４１の形状および位置を適宜に変化させることにより、配光を容易に変えることができる。
【００２６】
なお、本発明の照明器具は、前述した実施形態に限定されるものでなく、適宜な変形，改良等が可能である。
例えば、前述した実施形態においては、器具本体２０の前側板２５の内面２５１を反射面としたが、別部材の反射板を設けることも可能である。
また、器具本体２０の前側板２５を半反射部材で構成することにより、前側板２５から前方へ光を照射して照明することも可能である。
【符号の説明】
【００２７】
１０  照明器具
２０  器具本体
２１  下側照射開口（第１の照射開口、一方の照射開口）
２２  上側照射開口（第２の照射開口、一方の照射開口）
２４  半反射部材
２４１  凹凸
２４２  内表面
２５１  内面（反射面）
３０  ＬＥＤ光源部
【図１】
2010192388.tif 000003
【図２】
2010192388.tif 000004
【図３】
2010192388.tif 000005